(57)【要約】【課題】花崗岩等の石材でつくられ、表面を粗面加工したような比較的大型のタイル等の移動にも、強力な吸着力を得て使用できる吸着盤を提供する。【解決手段】基盤１下に吸盤６を配し、該吸盤頂部に埋設した埋設板７から立ち上げた操作杆８を、基盤２上に起伏動自在に配装した操作用把手９に連結し、該操作用把手９の起伏動操作で物品Ａ面に対する吸盤６の吸着と吸着解除を行う吸着盤において、吸盤６の吸着面に、環状スポンジ板体１２を固着した。【選択図】　　　　　　図２
2004082255.tif 000002
【特許請求の範囲】
【請求項１】
基盤下面に空洞部を形成し、該空洞部を覆って基盤下に吸盤を配し、該吸盤頂部に埋設した埋設板から立ち上げた操作杆を、基盤上に起伏動自在に配装した操作用把手に連結し、該操作用把手の起伏動操作で物品面に対する吸盤の吸着と吸着解除を行う吸着盤において、吸盤の吸着面に、環状スポンジ板体を固着したことを特徴とする吸着盤。
【請求項２】
環状スポンジ板体が、シリコン系又はウレタン系のゴム資材からなることを特徴とする請求項１記載の吸着盤。
【請求項３】
吸盤の吸着面に、環状スポンジ板体を接着剤又は両面接着テープを介して固着したことを特徴とする請求項１又は２記載の吸着盤。
【発明の詳細な説明】
【０００１】
【発明の属する分野】
本発明は、各種物品面に吸着させて物品の移動等に使用する吸着盤に関するものである。
【０００２】
【従来の技術】
従来より平坦面を有するガラスや大型のタイル等の移動には、吸着盤が広く使用されている。この種の吸着盤として、ダイカスト製の基盤下面に、基盤外周から下向きに突縁を設けて下向きに解放された空洞部を形成し、該基盤下に、基盤より若干径大なゴム資材からなる吸盤を空洞部を覆うように配し、該吸盤の頂部に埋設した埋設板から操作板を立ち上げ、この操作杆を基盤上に突出させて基盤上に起伏自在に配装した操作用把手に連結した構成のものが提案されている。
【０００３】
この吸着盤では、操作用把手を起立操作させて物品面に対する吸盤の吸着を図り、伏倒操作させて物品面からの吸盤の吸着解除を行うもので、吸盤を物品面に吸着させて強力な吸着力が得られることから、吸着盤を使用して物品を持ち上げて移動させるような作業に広く使用されている。
【０００４】
そして、吸盤の物品面に対する吸着状態を安定させるために、図４（ａ）に示すように、吸盤６の吸着面外周部に、外側の傾斜面と内側の垂直面を接合させて尖端縁６ｂを形成した環状突起６ａを吸盤６と一体に設け、使用時に物品面に対する吸着は、環状突起６ａを物品面に押し当て、この状態から操作用把手を起立操作して操作杆を介して吸盤頂部を強引に引き上げると、環状突起６ａで囲まれる吸盤内空間が真空状態になり、環状突起６ａは全周的に内向きに倒れる形（尖端縁６ｂが内側に引き込まれる形）に変形し、図４（ｂ）に示すように、環状突起６ａを形成する外側の傾斜面が物品面に全周的に密着して安定するものである。
【０００５】
【発明が解決しようとする課題】
ところで、前記するように、環状突起を設けた吸盤を備えた吸着盤を使用する場合に、環状突起が物品面に密着する状態を考察すると、環状突起で囲まれる吸盤内空間の真空度が高まるのに伴って環状突起は全周的に内向きに倒れる形に変形し、環状突起を形成する外側の傾斜面が尖端縁を内側にして物品面に接し、傾斜面は吸盤内の真空度に比例する幅を採り、この範囲で物品面に強力に密着するものである。
【０００６】
しかし、前記するように、環状突起を形成する傾斜面を物品面に密着させる吸盤の場合は、吸盤内への外気の侵入を阻止する上で、物品面に密着させる環状突起の傾斜面の幅に制限があるばかりでなく、取り扱われる物品としては、物品面が平滑面のものに限られるものである。つまり、環状突起を設けた吸盤を備えた吸着盤を使用して移動等ができる物品は、平坦面を有するガラスやタイル等に限られている。
【０００７】
そこで、本発明の課題は、花崗岩等の石材でつくられ、表面を粗面加工した比較的大型のタイル等の移動にも、強力な吸着力を得て使用できる吸着盤を提供することにある。
【０００８】
【課題を解決するための手段】
上記するような課題を解決するために、本発明に係る吸着盤は、基盤下面に空洞部を形成し、該空洞部を覆って基盤下に吸盤を配し、該吸盤頂部に埋設した埋設板から立ち上げた操作杆を、基盤上に起伏動自在に配装した操作用把手に連結し、該操作用把手の起伏動操作で物品面に対する吸盤の吸着と吸着解除を行う吸着盤において、吸盤の吸着面に、環状スポンジ板体を固着したことを特徴とする。
【０００９】
ここで、本発明に係る吸着盤の基本的構成と、吸盤を物品面に吸着させて使用する要領は、公知のものと変わりはないものである。
【００１０】
このように構成された本発明の吸着盤によれば、使用時に物品面に環状スポンジ板体を押し当て、この状態から操作用把手を起立操作して操作杆を介して吸盤頂部を強引に引き上げると、環状スポンジ板体で囲まれる吸盤内空間が拡張されて真空状態になり、環状スポンジ板体は、その内側部分が吸盤内向けに延びながら体内の空気が抜かれることにより、全周的に厚み方向に体積を縮小して緻密な状態で物品面に密着するようになる。この場合、環状スポンジ板体が密着（吸着）する物品面は、必ずしも、平滑面仕上げである必要はなく、粗面仕上げであっても環状スポンジ板体は面形態に合わせて気密的に密着する。こうして物品面に密着して空気の抜けた環状スポンジ板体は、物品面に密着する一種の薄板状のゴム板として機能し、所定の幅を持って吸盤内への外気の侵入を阻止するので、花崗岩等の石材でつくられ、表面を粗面加工した比較的大型のタイル等の移動にも安心して使用することができる。
【００１１】
また、本発明が適用される吸盤自体は、素材的には、従来のものと変わりはなく、環状スポンジ板体は別体で後付けされるので、環状スポンジ板体は、素材的には、特に制約はなく、汎用のゴム資材からなるスポンジ板材から打ち抜き加工で簡単に得ることができる。
【００１２】
そこで、環状スポンジ板体が、シリコン系又はウレタン系のゴム資材からなるもので形成すると、物品面に対してより強力な吸着力得られて物品を取り扱い易くする。
【００１３】
また、吸盤の吸着面に対する環状スポンジ板体の固着には、接着剤を使用して接着することができるが、吸盤の吸着面に、環状スポンジ板体を両面接着テープを介して固着すると、吸盤に対する環状スポンジ板体の固着作業に作業の巧拙がなく、しかも、接合強度のむらもなく確実にできる。また、繰り返しの使用で機能の低下した環状スポンジ板体を新品に交換する時にも便利になる。
【００１４】
【発明の実施の形態】
以下、本発明の実施の形態を図面に基づいて具体的に説明する。
【００１５】
図１は本発明の実施の形態を示す吸着盤の斜視図、図２は吸着盤の縦断面図、図３（ａ）、（ｂ）は本発明に係る吸着盤の使用態様を示す断面図である。
【００１６】
図において、吸着盤１を構成する基盤２は、ダイカスト製のもので、基盤外周に下向きに設けた突縁３により下向きに解放された空洞部４を形成し、基盤上面には把手５を立設している。
【００１７】
基盤下に、基盤２より若干径大なゴム資材からなる吸盤６を空洞部４を覆うように配している。この吸盤６は、その頂部に埋設した埋設板７から操作杆８を立ち上げ、この操作杆８を基盤上に突出させて基盤上に起伏動自在に配装した操作用把手９に連結している。
【００１８】
操作用把手９は、起立状態で把手５に添接される形態のもので、操作用把手９の下部に設けた水平杆部９ａより下向きに二股状の連結部材１０を突設し、両連結部材１０間に操作杆８の上端部を挿入して連結部材１０に操作杆８をピン１１で結合し、このピン１１を回動支点にして操作用把手９は基盤上で起伏動させるようにしている。
【００１９】
本発明に係る吸盤６には、その吸着面に環状スポンジ板体１２を固着している。実施の形態では、この環状スポンジ板体１２を、シリコン系又はウレタン系のゴム資材からなる板材を打ち抜き加工して形成し、これを吸盤６の吸着面に両面接着テープ１３を介して固着している。
【００２０】
上記構成からなる本発明に係る吸着盤１の使用は、図３（ａ）に示すように、物品面Ａに環状スポンジ板体１２を押し当て、この状態から操作用把手９を起立操作して操作杆８を介して吸盤６の頂部を強引に引き上げると、環状スポンジ板体１２で囲まれる吸盤内空間が真空状態になり、環状スポンジ板体１２内の空気が抜かれ、図３（ｂ）に示すように、環状スポンジ板体１２は、全周的に厚み方向に体積を縮小して緻密な状態で物品面に密着する。こうして、空気の抜けた環状スポンジ板体１２は、一種の薄板状のゴム板として機能し、所定の幅をもって物品面に強力に密着するので、吸盤内への外気の侵入を完全に阻止して安定する。
【００２１】
また、本発明に係る環状スポンジ板体１２は、スポンジの特性として、物品面Ａが粗面仕上げであっても、ほとんど抵抗なく板体面を物品面に気密的に密着させることができるので、花崗岩等の石材でつくられ、表面を粗面加工した比較的大型のタイル等の移動にも安心して使用することができて作業能率を向上できる。
【００２２】
【発明の効果】
本発明は、以上説明したような形態で実施され、本発明の吸着盤によれば、吸盤下面の環状スポンジ板体を物品面に押し当て、環状スポンジ板体で囲まれる吸盤内の空間を真空状態とし、環状スポンジ板体内の空気を抜いてその体積を全周的に厚み方向に縮小して緻密な状態で物品面に強力に密着させることができるので、花崗岩等の石材でつくられ、表面を粗面加工した比較的大型のタイル等の移動にも安心して使用することができて作業能率を向上できる。
【図面の簡単な説明】
【図１】本発明の実施の形態を示す吸着盤の斜視図である。
【図２】本発明の実施の形態を示す吸着盤の縦断面図である。
【図３】図３（ａ）、図３（ｂ）は本発明に係る吸着盤の使用態様を示す断面図である。
【図４】図４（ａ）、図４（ｂ）は従来の吸着盤の使用態様を示す部分断面図である。
【符号の説明】
１　吸着盤
２　基盤
３　突縁
４　空洞部
５　把手
６　吸盤
７　埋設板
８　操作杆
９　操作用把手
９ａ　水平杆部
１０　連結部材
１１　ピン
１２　環状スポンジ板体
１３　両面接着テープ
Ａ　物品面
【図１】
2004082255.tif 000003
【図２】
2004082255.tif 000004
【図３】
2004082255.tif 000005
【図４】
2004082255.tif 000006